(57)【要約】      （修正有）【課題】斬新で使い易い形状と吊下げ構造を有する車両用吊手を提供する。【解決手段】バス等の車両の乗客が手に持つための吊手本体２を、その上端部乃至一方の下側部に至る箇所の一部が開放されてその両側に両端部２ａ，２ｂが形成された概略形状を有し、更に該両端部２ａ，２ｂの一方になる基部２ａに吊下げ用ベルト３の装着部が設けられた形状にした。そして、この装着部となる基部２ａが車両の窓側に向き、前記開放された部分が客室通路側に向くようにした。そして、吊手本体２の握り部２ｅを、車両用吊手を利用する立ち姿勢の乗客から見て、１５〜４５°の角度で斜め上方に傾斜させた。【選択図】図４
0003144531.tif 000002
【実用新案登録請求の範囲】
【請求項１】
鉄道車両，バス等の車両の乗客が手に持つための吊手本体と、該吊手本体を前記車両の客室内に吊下げる吊下げ用ベルトとを備える車両用吊手であって、
この吊手本体は、上端部乃至一方の下側部に至る箇所の一部が開放されてその両側に両端部が形成された概略形状を有し、更に該両端部の一方になる基部に前記吊下げ用ベルトの装着部が設けられていることを特徴とする車両用吊手。
【請求項２】
請求項１に記載の車両用吊手において、、前記吊下げ用ベルトの重ね合わせた両端部間に補強用ベルト片を挟んだ３層構造ベルトの下部が前記基部に装着され、この３層構造のベルトの上方になる前記吊下げ用ベルトの重ね合わせた途中高さの箇所に、筒形状の鞘部材が嵌装されていることを特徴とする車両用吊手。
【請求項３】
請求項１又は２に記載の車両用吊手において、前記吊手本体は、前記基部が車両の窓側に向き、前記先端部が客室通路側に向く姿勢で、前記吊下げ用ベルトに装着されていることを特徴とする車両用吊手。
【請求項４】
請求項１乃至３のいずれかに記載の車両用吊手において、前記吊手本体の握り部が、この車両用吊手を利用する立ち姿勢の乗客から見て、１５〜４５°の角度で斜め上方に傾斜していることを特徴とする車両用吊手。
【考案の詳細な説明】
【考案の詳細な説明】
【技術分野】
【０００１】  本考案は、吊手本体の一部が開放された車両用吊手に関する。
【従来技術】
【０００２】  鉄道車両，バス等の客室通路の両側に吊下げられている車両用吊手は、乗客が手に持つ部分になる吊手本体と、該吊手本体を車両内に吊下げる吊下げ用ベルトとが主要部品として組み付けられている。
【０００３】  従来における車両用吊手は、特許文献１の図１に例示される環状の吊手本体が用いられていた。そして最近では、特許文献２の図６に例示される六角形状の吊手本体、特許文献２の図２，図３及び特許文献３に例示される略三角形状の吊手本体が用いられた車両用吊手も数多く見られるようになってきた。
【特許文献１】実開平６−２２０６４号公報
【特許文献２】実開平７−５９０５号公報
【特許文献３】意匠登録第１３０３６５０号公報
【考案が解決しよとする課題】
【０００４】  しかしながら、環状の吊手本体は、車両用吊手が車両に導入された初期の頃から全く変わっていない形状である。略三角形状の車両用吊手も、その導入した頃から相当な年数が経過している。このため、これらは乗客には新鮮なデザインとして受け止められないようになってきており、モダンで使い易く、乗客に好まれる車両用吊手の出現が望まれていた。
【０００５】  本考案が解決しようとする課題は、このような背景のもと、従来には全く見られなかった、斬新で使い易い形状と吊下げ構造を有する車両用吊手を提供することにある。
【課題を解決するための手段】
【０００６】  請求項１に係る車両用吊手は、鉄道車両，バス等の車両の乗客が手に持つための吊手本体と、該吊手本体を前記車両の客室内に吊下げる吊下げ用ベルトとを備える車両用吊手であって、この吊手本体は、上端部乃至一方の下側部に至る箇所の一部が開放されてその両側に両端部が形成された概略形状を有し、更に該両端部の一方になる基部に前記吊下げ用ベルトの装着部が設けられている。
【０００７】  また、請求項２に係る車両用吊手は、請求項１に記載の車両用吊手において、、前記吊下げ用ベルトの重ね合わせた両端部間に補強用ベルト片を挟んだ３層構造ベルトの下部が前記基部に装着され、この３層構造のベルトの上方になる前記吊下げ用ベルトの重ね合わせた途中高さの箇所に、筒形状の鞘部材が嵌装されている。
【０００８】  さらに、請求項３に係る車両用吊手は、請求項１又は２に記載の車両用吊手において、前記吊手本体は、前記基部が車両の窓側に向き、前記先端部が客室通路側に向く姿勢で、前記吊下げ用ベルトに装着されている。
【０００９】  そして、請求項４に係る車両用吊手は、請求項１乃至３のいずれかに記載の車両用吊手において、前記吊手本体の握り部が、この車両用吊手を利用する立ち姿勢の乗客から見て、１５〜４５°の角度で斜め上方に傾斜している。
【考案の効果】
【００１０】
【００１１】  請求項１に係る車両用吊手によれば、吊手本体の上端部乃至一方の下側部に至る箇所の一部が開放されてその両側に両端部が形成された概略形状に形成し、更に該両端部の一方になる基部に前記吊下げ用ベルトの装着部を設けた片支持構造とした結果、従来には全く見られなかった見栄えの良い斬新なデザインの車両用吊手にすることができるようになった。このため、鉄道車両及びバスの客室内の雰囲気をモダンで楽しい雰囲気にすることができるようになった
【００１２】  請求項２に係る車両用吊手によれば、前記吊下げ用ベルトの重ね合わせた両端部間に補強用ベルト片を挟んだ３層構造ベルトの下部が前記基部に装着され、この３層構造のベルトの上方になる前記吊下げ用ベルトの重ね合わせた途中高さの箇所に、筒形状の鞘部材を嵌装させた結果、吊手本体の基部上端面から上方に浮かした位置に鞘部材を位置させることができるようになった。このため、鞘部材を持つ乗客が、鞘部材と吊手本体の基部上端面との間に、指や掌の一部を挟んで怪我をしたり痛める事態が防止できるようになった。
【００１３】  請求項３に係る車両用吊手によれば、前記吊手本体を、前記基部が車両の窓側に向き、前記先端部が客室通路側に向く姿勢で、前記吊下げ用ベルトに装着させた結果、立ち姿勢の乗客が容易かつ楽な姿勢で、車両用吊手を持つことができるようになった。
【００１４】  請求項４に係る車両用吊手によれば、前記吊手本体の握り部を、この車両用吊手を利用する立ち姿勢の乗客から見て、１５〜４５°の角度で斜め上方に傾斜させた結果、乗客は、手首を曲げたり、肘を前に突き出すなどの手や肘及び腕に負担を掛けることなく、自然な手の向きで握り部を持つことができるようになった。
【考案を実施するための最良の形態】
【００１５】  本考案を実施するための最良の形態は、上記各請求項の全てを含む車両用吊手であり、例えば、次の実施例における第１実施形態の車両用吊手がこれに該当する。
【実施例】
【００１６】  図１は本考案の第１実施形態による車両用吊手を組み付け直前の分解斜視図で示している。
この車両用吊手１は、鉄道車両，バス等の車両の乗客が手に持つための吊手本体２と、該吊手本体を前記車両の客室内に吊下げる吊下げ用ベルト３を主要部品として備え、補強用ベルト片４と２本の埋込ネジ５，５と筒形状の鞘部材６を付属部品として備える。【００１７】  この実施形態の車両用吊手１の最も特徴的なところは、吊手本体２の形状にあり、図２の（ａ）は吊手本体２を側面図で示している。好適とされる吊手本体２の大きさは、例えば、前後幅Ｗが約１３５ｍｍ、上下高さＨが約１００ｍｍ、左右幅は３８ｍｍである。
この実施形態の車両用吊手１は、上端部が開放されてその両側に両端部２ａ，２ｂが形成された略横Ｃ形状という斬新な形状を有しており、両端部２ａ，２ｂは略同じ上下高さに揃えられている。２ｅは握り部、２ｘは両端部２ａ，２ｂ間の開放部を示している。【００１８】  図２における（ａ）図は吊手本体の側面図、（ｂ）図は平面図、（ｃ）図は吊手本体の基部の側面断面図である。
図１及び図２の（ａ）図〜（ｃ）図に示すように、両端部２ａ，２ｂの一方になる基部２ａの上面中央箇所には、ベルト挿入穴２ｃが形成されている。ベルト挿入穴２ｃは、３枚重ねしたベルト部分の幅及び厚さに略合わせた大きさを有する平面視矩形状を有しており、その深さは、例えば、３２ｍｍである。そして、基部２ａの背面側の左右に振り分けた箇所に、ベルト挿入孔２ｃに通じるビス孔２ｄ，２ｄが形成されている。【００１９】  ベルト挿入穴２ｃは、折り返した吊下げ用ベルト３の両端部３ａ，３ｂの間に補強用ベルト片４を挟んだ構造の３枚重ねベルトの下部を挿入するためにあり、ビス孔２ｄ，２ｄ内には、３枚重ねベルトの抜け止めをするビス５，５が螺入される。請求項１に記載されている前記吊下げ用ベルトの装着部は、ベルト挿入穴２ｃと、ビス孔２ｄ，２ｄと、ビス孔２ｄ，２ｄ内の螺入させるビス５，５とを合わせたものをいう。【００２０】  図１及び図２の（ｂ）図に示すように、ベルト挿入穴２ｃの平面視における向きは、ベルト挿入穴２ｃの長辺方向の向きＹが、吊手本体２の前後方向の向きＸに対して直交する向きに設定して、吊手本体２の先端部２ｂを客室通路側に向けて吊下げることができるようにしている。【００２１】  図１において、車両用吊手１の組み付けの最初の作業は、客室通路の両側の上方に位置する横パイプ１０に吊下げ用ベルト３を掛けることから始まる。そして、吊下げ用ベルト３の両端部３ａ，３ｂを重ねて、これらを鞘部材６内に挿通させ、更に、鞘部材６内からその下方に突出させる。【００２２】  さらに続いて、鞘部材６内から下方に突出させた吊下げ用ベルト３の両端部３ａ，３ｂを鞘部材６を上方に引き上げて、該両端部３ａ，３ｂは鞘部材６の下方に長く突出させる作業が行なわれる。そして、該両端部３ａ，３ｂの間に補強用ベルト片４を重ね合わせる作業が行なわれる。【００２３】  補強用ベルト片４は、吊下げ用ベルト３に使用したベルト地を所定長さに切断したものが使用される。補強用ベルト片４は、前記両端部３ａ，３ｂの補強と屈曲に対する柔軟性を抑え、鞘部材６を所定高さの位置に維持させるために使用される。【００２４】  図３の（ａ）図は鞘部材６の正面図、（ｂ）図は側面図、（ｃ）図は（ａ）図におけるＡ−Ａ断面図、（ｄ）図は（ｂ）図におけるＢ−Ｂ断面図である。
図３の（ａ）〜（ｄ）図に示す鞘部材６は角筒形状のものが用いられる。この鞘部材６の内側に形成されている内壁６ａは、図１に示す吊下げ用ベルト３の重ね合わせた両端部３ａ，３ｂの幅よりも若干大きな上部内壁６ｂと、前記３枚重ねベルトの幅よりも若干大きな下部内壁６ｃとによって形成されている。上部内壁６ｂは、下部内壁６ｃよりも縦方向に長く形成され、吊下げ用ベルト３の両端部３ａ，３ｂを重ね合わせた状態を維持させるためにある。下部内壁６ｃは、前記３枚重ねベルトの上部を、重ね合わせた状態で保持させるためにある。【００２５】  図４は第１実施形態の車両用吊手１の組み付け後の状態を示した側面図、図５は側面断面図、図６は図４におけるＣ―Ｃ断面図、図７は図４におけるＤ−Ｄ断面図である。
車両用吊手１の組み付けにおける後半の作業では、前記３枚重ねベルトをベルト挿入穴２ｃ内に挿入させる作業が行なわれる。そして、吊手本体２に形成されているビス孔２ｄ，２ｄ内に、ビス５，５を螺入させながら、該ビス５，５を上記３枚重ねしたベルト部分に螺入させ、更に、該ビス５，５の先端部をベルト挿入穴２ｃ内の側壁に食い込ませると、前記３枚重ねベルトの抜け止めがされる。そして、最後に、鞘部材６を下方に移動させて、鞘部材６の下部内壁６ｃで囲まれた空間内に、前記３枚重ねベルトの上部を位置させると、車両用吊手１の組み付けと取り付け作業が終了する。【００２６】  図４及び図５に示すように、車両用吊手１の吊手本体２は、片支持状態で吊下げられるため、車両用吊手１の重心は、吊下げ用ベルト３の位置よりも客室通路の中央方向（図では左側）に偏心した位置にあるが、吊手本体２と吊下げ用ベルト２とによる装着が、上記３枚重ねのベルト部で補強されており、また、鞘部材６で吊下げ用ベルト３の途中部分を絞って横パイプ１０に対する滑り方向の摩擦を与えているため、吊手本体２が傾くことはない。【００２７】  第１実施形態の車両用吊手１は、吊手本体２の上部が開放された片支持という、従来には全く見られない斬新なデザインを持ち、乗客の関心を惹きつける。吊手本体２に加わる過大な荷重に対する折れやクラックの発生などの問題は、吊手本体２の肉厚を太くすることで解決した。この実施形態の車両用吊手１は、図４に示すように、吊手本体２の基部２ａから先端部２ｂに至る途中部分は、乗客が手で握り易い形状に湾曲しており、しかも、先端部２ｂが内側に反っているため、先端部３ａが下方に傾いても、手が吊手本体２から抜け外れることはない。【００２８】  図８の（ａ）図は人が手を握った状態で手を上に向けた自然な姿勢を示し、（ｂ）図は人が手を握った状態で手を上に向けて握る向きを水平にした状態を示した図である。
図８の（ａ）図に示すように、人が手を握った状態で手を上に向けた自然な姿勢では、握る向きに１５〜４５°程度の傾きがある。これに対し、手の握る向きを、従来の車両用吊手を持つ向きにすると、図８の（ｂ）図に示すように手首を曲げたり、肘を前に突き出すなど、乗客の手に負担が掛かる。このため、図４に示すように、第１実施形態の車両用吊手１においては、吊手本体２の握り部２ｅが、乗客がごく自然な手の向きで持つことができる斜め上方２０°の角度に傾斜されている。【００２９】  第１実施形態の車両用吊手１は以上のとおりであるが、図に示す吊下げ用ベルト３よりも長さが長い吊下げ用ベルトを使用することも可能である。この場合には、図に示す鞘部材６よりも長さの長い鞘部材を使用することが好ましい。【００３０】  図９は本考案の第２実施形態の車両用吊手１Ａを示した側面図である。
図９に示す実施形態の車両用吊手１Ａは、車両用吊手１Ａを利用する立ち姿勢の乗客から見て、斜め手前上方に向けた部分が開放された略Ｃ形状を有する吊手本体２０が用いられている。２ｘはこの開放部を示している。この実施形態の車両用吊手１Ａは、吊下げ用ベルト３の中心線Ｐが、吊手本体２０の前後方向の略中心に位置させてある。そして、この実施形態の車両用吊手１Ａの吊手本体２０も、第１実施形態のものと同様に、乗客がごく自然な手の向きで握り部２ｅを持つことができる２０°の角度に、握り部２ｅを傾斜させてある。【００３１】  図１０は本考案の第３実施形態の車両用吊手１Ｂを示した側面図である。
図９に示す実施形態の車両用吊手１Ｂは、車両用吊手１Ｂを利用する立ち姿勢の乗客から見て、手前方向の上部分が開放された略Ｃ形状を有し、握り部２ｅが水平方向に向けられた吊手本体２１が用いられている。に形成されている。２ｘはこの開放部を示している。【００３２】  図示していないが、前記各吊手本体２，２０，２１は、その内部に補強材を埋め込んだ形状にしてもよい。また、前記各吊手本体２，２０，２１を抗菌加工処理したものにしてもよい。また、前記各吊手本体２，２０，２１を着色模様を施してもよい。
【図面の簡単な説明】
【００３３】
【図１】本考案の第１実施形態による車両用吊手を組み付け直前の状態で示した分解斜視図。
【図２】（ａ）図は吊手本体の側面図、（ｂ）図は平面図、（ｃ）図は吊手本体の基部の側面断面図。
【図３】（ａ）図は鞘部材６の正面図、（ｂ）図は側面図、（ｃ）図は（ａ）図におけるＡ−Ａ断面図、（ｄ）図は（ｂ）図におけるＢ−Ｂ断面図。
【図４】第１実施形態の車両用吊手１の組み付け後の状態を示した側面図。
【図５】は同じくその側面断面図。
【図６】図４におけるＣ―Ｃ断面図。
【図７】図４におけるＤ−Ｄ断面図。
【図８】（ａ）図は人が手を握った状態で手を上に向けた自然な姿勢を示した図、（ｂ）図は人が手を握った状態で手を上に向けて握る向きを水平にした状態を示した図。
【図９】本考案の第２実施形態の車両用吊手を示した側面図。
【図１０】本考案の第３実施形態の車両用吊手を示した側面図。
【符号の説明】
【００３４】  １    第１実施形態の車両用吊手
２    吊手本体
２ａ  基部
２ｂ  先端部
２ｃ  ベルト挿入孔
２ｄ  ビス孔
２ｅ  握り部
２ｘ  開放部
３    吊下げ用ベルト
３ａ，３ｂ    両端部
４    補強用ベルト片
５    埋込ネジ
６    鞘部材
６ａ  内壁
６ｂ  上部内壁
６ｃ  下部内壁
１０    横パイプ
１Ａ  第２実施形態の車両用吊手
２０  （第２実施形態の車両用吊手の）吊手本体
１Ｂ  第３実施形態の車両用吊手
２１  （第３実施形態の車両用吊手の）吊手本体
【図１】
0003144531.tif 000003
【図２】
0003144531.tif 000004
【図３】
0003144531.tif 000005
【図４】
0003144531.tif 000006
【図５】
0003144531.tif 000007
【図６】
0003144531.tif 000008
【図７】
0003144531.tif 000009
【図８】
0003144531.tif 000010
【図９】
0003144531.tif 000011
【図１０】
0003144531.tif 000012